(57)【要約】    【課題】  折板屋根に載荷される荷重が可及的に小さく、折板屋根の排水システムを使用して排水することができ、緑化折板屋根が良好に維持される緑化用折板屋根及び緑化用折板屋根形成方法の提供。    【解決手段】  主として折板屋根Ｒと複数の細長支持材Ｂと根生育層形成材Ｆからなる。折板屋根Ｒは、山部Ｃと谷部Ｄが交互に繰り返して並列してなり、各山部Ｃの上部中央部にはぜ部Ｌを形成する。多数並列した山部Ｃのはぜ部Ｌ上に、直交状且つ等間隔に、断面溝形状の細長支持材Ｂを並列状に固定する。根生育層形成材Ｆは主として繊維製のロールマット状であり、植物の生育に必要な量の含水が可能なものである。根生育層形成材Ｆを、細長支持材Ｂに直交するように展開し、固定する。【選択図】      図８
2010095910.tif 000002
【特許請求の範囲】
【請求項１】
山部と谷部が交互に繰り返して並列してなる折板屋根と、
その折板屋根における、間隔おきに多数並列した山部上に、各山部に交差する状態で間隔おきに並列状に固定された複数の細長支持材と、
隣接する複数の細長支持材にわたって、それらの細長支持材上に支持され、折板屋根又は細長支持材に対し固定された、植物が根を張るための含水可能なマット状の根生育層形成材からなる緑化用折板屋根。
【請求項２】
上記細長支持材が、断面溝形状をなし、その底板部が上側に位置するものである請求項１記載の緑化用折板屋根。
【請求項３】
複数の根生育層形成材が、互いに隣接した状態で細長支持材上に支持され、
隣接する根生育層形成材の間に、折板屋根から上方に突起する固定突部を有し、
その固定突部の両側において隣接し合う両根生育層形成材を共に細長支持材との間に挟持する挟持部材が、前記固定突部に対し固定されることにより、それらの根生育層形成材が折板屋根又は細長支持材に対し固定された請求項１又は２記載の緑化用折板屋根。
【請求項４】
細長支持材の幅が５乃至３０ｃｍであり、隣接する細長支持材同士の間隔が５乃至２０ｃｍである請求項１、２又は３記載の緑化用折板屋根。
【請求項５】
上方突起のはぜ連結部を備えた山部形成部を両側に有し、それらの山部形成部の間に谷部を有してなる折板ユニットが、はぜ連結部同士において連結されることにより、山部形成部同士が連結して山部が形成されると共に各山部にはぜ部が形成されて折板屋根が構成されてなるものである請求項１乃至４の何れか１項に記載の緑化用折板屋根。
【請求項６】
折板屋根の山部におけるはぜ部上に支持された細長支持材を上側から折板屋根との間に挟んで保持するための保持部材が、はぜ部に取り付けられる固定部材によりはぜ部に対し固定された請求項５記載の緑化用折板屋根。
【請求項７】
上方突起のはぜ連結部を備えた山部形成部を両側に有し、それらの山部形成部の間に谷部を有してなる折板ユニットが、はぜ連結部同士において連結されることにより、山部形成部同士が連結して山部が形成されると共に各山部にはぜ部が形成されて折板屋根が構成されてなるものであり、
折板屋根の山部におけるはぜ部上に支持された細長支持材を上側から折板屋根との間に挟んで保持するための保持部材材が、はぜ部に取り付けられる固定部材によりはぜ部に対し固定されており、
その固定部材が上記固定突部を備えている請求項３記載の緑化用折板屋根。
【請求項８】
山部と谷部が交互に繰り返して並列してなる折板屋根における、間隔おきに多数並列した山部上に、各山部に交差する状態で間隔おきに並列状に複数の細長支持材を固定し、
植物が根を張るための含水可能なマット状の根生育層形成材を、隣接する複数の細長支持材にわたって、それらの細長支持材上に支持させ、折板屋根又は細長支持材に対し固定することを含む緑化用折板屋根形成方法。
【請求項９】
上記根生育層形成材としてロールマット状をなすものを用い、間隔おきに並列状に固定された複数の細長支持材上にロールマット状の根生育層形成材を展開して根生育層を形成する請求項８記載の緑化用折板屋根形成方法。
【発明の詳細な説明】
【技術分野】
【０００１】
本発明は、折板屋根の緑化に用いる緑化用折板屋根及び緑化用折板屋根形成方法に関する。
【背景技術】
【０００２】
特開２００３−１８４２３８号公報（特許文献１）には、複数の折板屋根板からなり，且つ山形部が所定間隔で連続する折板屋根と、面板の幅方向両側に立上り側片が形成された溝板と、前記折板屋根の前記山形部の頂部箇所に装着され，且つ前記溝板を固定する支持具と、植裁マット材と、該植裁マット材を溝板上に固定する押え部材とからなり、前記折板屋根の山形部の長手方向に所定間隔に前記支持具が装着され、該支持具を介して前記折板屋根の山形部の長手方向と，前記溝板の長手方向とがほぼ直交するようにして、前記山形部の頂部に複数の溝板が並設され、該溝板には植裁マット材が敷設されてなることを特徴とする緑化屋根の発明が記載されている。
【０００３】
この発明の緑化屋根は、「折板屋根Ａの山形部１の長手方向と前記溝板３の長手方向とがほぼ直交状にして施工されたものであり、これによって、折板屋根Ａの山形部１による断面形状と溝板３の断面形状とが相互に構造的な補強を行い、ひいては極めて強固なる構造の緑化屋根とすることができる。また、折板屋根Ａは、既設又は新設を問わず多くの折板屋根に対して、その山形部１の頂部に設置する支持具Ｂを使用して溝板３を設けるもので、折板屋根Ａが馳締め，嵌合或いは重合タイプのいずれであっても簡易且つ迅速に緑化屋根に施工することができる。また、折板屋根Ａの上方に溝板３が配置されることから、溝板３から溢れ出た雨水，栽培用水等の水は、折板屋根Ａから外部に排除されるものであり、水はけが良好となる。さらに折板屋根Ａの溝板３とがほぼ２層タイプの屋根を構成することになり、構造的に強固となるのみならず、２層タイプの屋根の特性である保温性をも兼ね備えることになる。」とされている。
【０００４】
しかしながら、この緑化屋根は、２層タイプの屋根を構成することとなるため屋根に対する載荷荷重の増大が問題となる恐れがあり、また、溝板３から溢れ出ない限り排水が行われない点で排水性が不十分となる恐れがあり、また、溝板に植裁マット材が敷設固定されるものであるため、植裁マット材の底面と溝板との間に多量の根が張って植裁マット材が浮いたり、それにより固定が外れる恐れも考えられる。
【特許文献１】特開２００３−１８４２３８号公報
【発明の開示】
【発明が解決しようとする課題】
【０００５】
本発明は、従来技術に存した上記のような課題に鑑み行われたものであって、その目的とするところは、折板屋根に載荷される荷重が可及的に小さく、余分な水を折板屋根の排水システムを使用して効率良く排水することができ、緑化折板屋根が良好に維持される緑化用折板屋根及び緑化用折板屋根形成方法を提供することにある。
【課題を解決するための手段】
【０００６】
(1) 本発明の緑化用折板屋根は、
山部と谷部が交互に繰り返して並列してなる折板屋根と、
その折板屋根における、間隔おきに多数並列した山部上に、各山部に交差する状態で間隔おきに並列状に固定された複数の細長支持材と、
隣接する複数の細長支持材にわたって、それらの細長支持材上に支持され、折板屋根又は細長支持材に対し固定された、植物が根を張るための含水可能なマット状の根生育層形成材からなる。
【０００７】
また本発明の緑化用折板屋根形成方法は、
山部と谷部が交互に繰り返して並列してなる折板屋根における、間隔おきに多数並列した山部上に、各山部に交差する状態で間隔おきに並列状に複数の細長支持材を固定し、
植物が根を張るための含水可能なマット状の根生育層形成材を、隣接する複数の細長支持材にわたって、それらの細長支持材上に支持させ、折板屋根又は細長支持材に対し固定することを含む。
【０００８】
マット状の根生育層形成材は、折板屋根における間隔おきに多数並列した山部上に、各山部に交差して間隔おきに並列状に固定された隣接する複数の（好ましくは３以上の、又は４若しくは５以上の、より好ましくは多数の）細長支持材にわたって支持されている。
【０００９】
細長支持材が間隔おきに並列するものであるため、折板屋根に載荷される荷重が可及的に低減される。
【００１０】
また、根生育層形成材による根生育層の下面側は、間隔おきに並列した細長支持材により支持され、根生育層の下面側のうち隣接する細長支持材の間の部分は、細長支持材に平行な空間となり、その空間の下方側は、更に、折板屋根の谷部に繋がっている。
【００１１】
そのため、根生育層形成材による根生育層が保持しきれない水分（潅水や降雨による水のうち余分な水）は、根生育層から、細長支持材の間の空間を経て折板屋根の谷部に流下し、折板屋根の排水システムが利用されて排水される。
【００１２】
また根生育層形成材の底面全体が細長支持材の上面に接する場合とは異なり、根生育層形成材の底面全体と細長支持材の上面との間に緑化用植物の根が多量に張って根生育層形成材が浮き上がることや、それにより根生育層形成材の固定が外れることが防がれる。
【００１３】
(2) 上記細長支持材は、断面溝形状をなし、その底板部が上側に位置するものであることが望ましい。細長支持材として断面溝形状をなすものを用いることにより、必要な強度及び剛性を確保しつつ、折板屋根に載荷される荷重をより低減させることができる。
【００１４】
(3) 上記本発明の緑化用折板屋根は、複数の根生育層形成材が、互いに隣接した状態で細長支持材上に支持され、
隣接する根生育層形成材の間に、折板屋根から上方に突起する固定突部を有し、
その固定突部の両側において隣接し合う両根生育層形成材を共に細長支持材との間に挟持する挟持部材が、前記固定突部に対し固定されることにより、それらの根生育層形成材が折板屋根又は細長支持材に対し固定されたものであることが望ましい。
【００１５】
この場合、固定突部に対し挟持部材を固定して隣接する根生育層形成材を共に挟持することによりそれらの根生育層形成材を固定するので、根生育層形成材を固定する作業を効率化することができる。
【００１６】
また、この緑化用折板屋根は、上方突起のはぜ連結部を備えた山部形成部を両側に有し、それらの山部形成部の間に谷部を有してなる折板ユニットが、はぜ連結部同士において連結されることにより、山部形成部同士が連結して山部が形成されると共に各山部にはぜ部が形成されて折板屋根が構成されてなるものであり、
折板屋根の山部におけるはぜ部上に支持された細長支持材を上側から折板屋根との間に挟んで保持するための保持部材材が、はぜ部に取り付けられる固定部材によりはぜ部に対し固定されており、
その固定部材が上記固定突部を備えているものとすることが望ましい。
【００１７】
この場合、保持部材をはぜ部に対し固定し、はぜ部上に支持された細長支持材を上側から折板屋根との間に挟んで保持することができるので、細長支持材を固定する作業を効率化することができ、而も、固定部材が備える固定突部に対し挟持部材を固定して隣接する根生育層形成材を共に挟持することによりそれらの根生育層形成材を固定するので、根生育層形成材を固定する作業を効率化することができる。なお、本明細書中の折板ユニットとしては、上方突起のはぜ連結部を備えた山部形成部を両側に有し、それらの山部形成部の間に、山部形成部に平行に、１つの谷部を有してなるもののほか、２以上の谷部を有し、その２以上の谷部同士の間には山部を備えるものを用いることもできる。
【００１８】
(4) 上記緑化用折板屋根は、細長支持材の幅が５乃至３０ｃｍであり、隣接する細長支持材同士の間隔が５乃至２０ｃｍであるものとすることができる。
【００１９】
この場合、並列する細長支持材の幅が５乃至３０ｃｍ、隣接する細長支持材同士の間隔が５乃至２０ｃｍであり、それらの細長支持材上に根生育層形成材が支持されたものであるため、作業者がその上を歩いて緑化植物の刈り込み等のメンテナンス作業等を行う上で好適である。
【００２０】
(5) 上記緑化用折板屋根は、上方突起のはぜ連結部を備えた山部形成部を両側に有し、それらの山部形成部の間に谷部を有してなる折板ユニットが、はぜ連結部同士において連結されることにより、山部形成部同士が連結して山部が形成されると共に各山部にはぜ部が形成されて折板屋根が構成されてなるものであることが望ましい。
【００２１】
この場合、細長支持材は、折板屋根における、間隔おきに多数並列した山部のはぜ部上に、各山部のはぜ部に交差する状態で間隔おきに並列状に固定される。
【００２２】
根生育層の下面側のうち隣接するはぜ部の間の部分は、細長支持材に平行な空間となり、その空間の下方側は、更に、折板屋根の谷部に繋がっている。
【００２３】
またこの緑化用折板屋根は、折板屋根の山部におけるはぜ部上に支持された細長支持材を上側から折板屋根との間に挟んで保持するための保持部材が、はぜ部に取り付けられる固定部材によりはぜ部に対し固定されたものとすることができる。この場合、固定部材をはぜ部に取り付けることにより、保持部材をはぜ部に対し固定し、はぜ部上に支持された細長支持材を上側から折板屋根との間に挟んで保持することができるので、細長支持材を固定する作業を効率化することができる。
【００２４】
(6) 上記本発明の緑化用折板屋根形成方法は、上記根生育層形成材としてロールマット状をなすものを用い、間隔おきに並列状に固定された複数の細長支持材上にロールマット状の根生育層形成材を展開して根生育層を形成するものであることが望ましい。
【００２５】
この場合、根生育層形成材としてロールマット状をなすものを用い、間隔おきに並列状に固定された複数の細長支持材上にロールマット状の根生育層形成材を展開して根生育層を形成するので、緑化用折板屋根の形成工程を効率化することができる。
【発明の効果】
【００２６】
本発明の緑化用折板屋根及び本発明の緑化用折板屋根形成方法による緑化用折板屋根によれば、細長支持材が間隔おきに並列するものであるため、折板屋根に載荷される荷重が可及的に低減される。また、根生育層形成材による根生育層が保持しきれない潅水や降雨による水のうち余分な水は、根生育層から、細長支持材の間の空間を経て折板屋根の谷部に流下し、折板屋根の排水システムがそのまま利用されて排水される。また、根生育層形成材の底面全体が細長支持材の上面に接する場合とは異なり、根生育層形成材の底面全体と細長支持材の上面との間に緑化用植物の根が多量に張って根生育層形成材が浮き上がることや、それにより根生育層形成材の固定が外れることが防がれ、緑化折板屋根が良好に維持される。
【発明を実施するための最良の形態】
【００２７】
本発明の実施の形態を、図面を参照しつつ説明する。
【００２８】
(1)  図１乃至図９は、何れも本発明の実施の形態の一例を示す緑化用折板屋根及び緑化用折板屋根形成方法に関するものであって、図１は折板屋根及び細長支持材の斜視図、図２は折板屋根上に細長支持材が並列した状態の斜視図、図３は保持部材及び固定部材の斜視図、図４は折板屋根上に細長支持材が固定された状態の斜視図、図５は根生育層形成材の斜視図、図６は折板屋根上の細長支持材上に根生育層形成材を敷設した状態の斜視図、図７は挟持部材及び固定用ナットの斜視図、図８は緑化用折板屋根の斜視図、図９は固定部材の斜視図である。
【００２９】
この緑化用折板屋根Ａは、主として、折板屋根Ｒと、多数の細長支持材Ｂと、根生育層形成材Ｆからなる。
【００３０】
折板屋根Ｒは、山部Ｃと谷部Ｄが交互に繰り返して並列してなるものである。上方突起のはぜ連結部Ｌａを備えた山部形成部Ｃａを両側に有し、それらの山部形成部Ｃａの間に谷部Ｄを有してなる多数の折板ユニットＲａを、はぜ連結部Ｌａ同士をかしめ連結することにより、山部形成部Ｃａ同士が連結して山部Ｃが形成され、この折板屋根Ｒが構成される。連結されたはぜ連結部Ｌａは、各山部Ｃの上部中央部に、上方突起の突条としてはぜ部Ｌを形成する。はぜ部Ｌの長手方向に直交する縦断面の外形は、狭幅の基部の上方に、両側方に拡幅した円形状断面部（円形状にに限らない）を有する形状をなす。
【００３１】
折板屋根Ｒにおける、間隔おきに多数並列した山部Ｃのはぜ部Ｌ上に、各山部Ｃに直交（直交ではなく９０度以外の角度で交差するものを排除するものではない）する状態で等間隔（間隔おきであれば、必ずしも等間隔に限らない）に、複数の金属製の細長支持材Ｂ（材料は金属製に限らず、合成樹脂等の他の材料を適宜採用し得る。）が並列状に固定されている。細長支持材Ｂは、断面溝形状をなし、その底板部Ｂａが上側に位置するように配置されている。
【００３２】
並列配置された各細長支持材Ｂ上には、それらの上面及び両側面に沿うように、金属製の帯状の保持部材Ｔが、細長支持材Ｂの横方向に配装されている。その保持部材Ｔの両端部及び中間部が、はぜ部Ｌに固定される固定部材Ｘによって固定されることにより、各細長支持材Ｂが折板屋根Ｒに対し保持されている。
【００３３】
固定部材Ｘは、相対する一対の保持片Ｘ１と、ボルトＸ５と、開閉用ナットＸ６を備えてなる。両保持片Ｘ１は、上部に、互いに連結した水平状の結合片部Ｘ２を有し、各結合片部Ｘ２の外側部から下方に向かって、外方傾斜状に拡がる下方傾斜片部Ｘ３を有し、その下方傾斜片部Ｘ３の下部に、内方に向かって上向き傾斜状に折り返された保持爪部Ｘ４を備える。両結合片部Ｘ２の一部は重合し、その重合部分にボルトＸ５が上向きに貫通している。ボルトＸ５の雄ねじ部（ねじについては図示を略す）には、両結合片部Ｘ２の重合部分の上側において開閉用ナットＸ６が螺合している。開閉用ナットＸ６を下方に締め付けることにより、両保持片Ｘ１同士が近接して両下方傾斜片部Ｘ３及び両保持爪部Ｘ４の間隔が狭まり、開閉用ナットＸ６を上方に緩めることにより、両保持片Ｘ１同士が離隔して両下方傾斜片部Ｘ３及び両保持爪部Ｘ４の間隔が広がる。
【００３４】
はぜ部Ｌに対する固定部材Ｘの固定は、開閉用ナットＸ６により両保持片Ｘ１の開閉状態を調節し、はぜ部Ｌの基部を両保持爪部Ｘ４によって挟み、はぜ部Ｌの側部が両下方傾斜片部Ｘ３の間に位置し、はぜ部Ｌの上部が両結合片部Ｘ２の下側に位置するようにはぜ部Ｌを保持した状態とすることにより行われる。固定部材はこの態様に限らないが、このようにはぜ部を両側から挟んで保持するものであることが好ましい。
【００３５】
保持部材Ｔの両端部及び中間部の所要箇所には貫通孔（図示せず）が設けられており、この貫通孔にボルトＸ５の脚部を挿通して開閉用ナットＸ６で締め付けることにより保持部材Ｔの両端部及び中間部が、固定部材Ｘに対し固定される
【００３６】
この例において、細長支持材Ｂの幅は２０ｃｍであり、隣接する細長支持材Ｂ同士の間隔は２０ｃｍであるが、これに限るものではない。
【００３７】
なお、細長支持材を折板屋根に対し固定する手段は、上記手段に限らず適宜の手段を採用し得る。また細長支持材は、このような断面溝形状をなすものに限らないが、上側に平坦面を有し、その平坦面で根生育層Ｇ形成材を支持するものが好ましい。
【００３８】
根生育層形成材Ｆは、ポリエステル系合成繊維を約８０％含む繊維で編み組みされた織布の廃棄屑を開繊して繊維状に加工したものを主材料とし、これに、低融点のポリエステル繊維（例えば全体の約２０重量％）をバインダー繊維として混合分散させたものを所定の厚さに方向性なく立体的に集合させた繊維の集合体を、バインダー繊維が溶融する温度まで加熱した後プレス（繊維等が集合した状態の厚さに対して約２５％の厚さとなるようプレス）し、バインダー繊維を冷却・硬化させて繊維同士を結合させ繊維の間に無数の空隙を形成したものであり、植物の生育に必要な量の含水が可能なものである。
【００３９】
根生育層形成材Ｆは、ロールマット状（この形態に限らない）の形態で用いることが好ましい。そのロールマット状の根生育層形成材Ｆを、並列配列された細長支持材Ｂ上に、それらの細長支持材Ｂに直交（これ以外を排除するものではない。例えば平行にすることもできる。）するように展開することにより、根生育層Ｇを効率的に形成することができる。これにより、根生育層形成材Ｆは隣接する複数の細長支持材Ｂにわたって、それらの細長支持材Ｂ上に支持される。隣接根生育層形成材Ｆ同士の間に隙間なく或いは隙間がなるべく生じないように複数枚のロールマット状の根生育層形成材Ｆを並列敷設することにより、並列配列された細長支持材Ｂの全体にわたり根生育層Ｇを効率的に形成することができる。図５、図６及び図８において、左側は敷設済みの根生育層形成材Ｆを示し、中央部はロールマット状の根生育層形成材Ｆを敷設中の状態を示し、右側は未敷設の状態を示す。
【００４０】
保持部材Ｔの両端部及び中間部を固定する固定部材Ｘは、上方に突起する固定突部Ｘａ（ボルトＸ５の脚部）を備えている。隣接し合う根生育層形成材Ｆの間に、固定突部Ｘａが位置するように根生育層形成材Ｆを配し、隣接し合う両根生育層形成材Ｆを共に細長支持材Ｂとの間に挟持する挟持部材Ｐを、その中央部を貫通する挿通孔（図示を略す）において固定突部Ｘａに外嵌し、その挟持部材Ｐの上側から固定用ナットＮを固定突部Ｘａに螺合固定することにより、それらの根生育層形成材Ｆが折板屋根Ｒ及び細長支持材Ｂに対し固定される。細長支持材Ｂを折板屋根Ｒのはぜ部Ｌに固定するための固定突部Ｘａに対し挟持部材Ｐを固定して隣接し合う根生育層形成材Ｆを共に挟持することによりそれらの根生育層形成材Ｆを固定するので、根生育層形成材Ｆを固定する作業を効率化することができる。
【００４１】
なお、根生育層形成材としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、その他の各種植物生育材料を用いることができる。根生育層形成材Ｆの厚さは、例えば１乃至２０ｃｍとすることができる。好ましくは２乃至１５ｃｍ、より好ましくは３乃至１０ｃｍであるが、これに限られるものではない。
【００４２】
また、根生育層形成材は、これに限らず、植物が根を張ることができ、含水可能なものであれば、その他の繊維製のもの、合成樹脂又はゴムスポンジ等のスポンジ状のもの等を採用することも可能である。
【００４３】
緑化植物の例としては、芝類、セダム類、こけ類、つた類等を挙げることができるがこれに限らない。二酸化炭素削減の観点からは、セダム類やこけ類よりも芝類が好ましい。
【００４４】
なお、根生育層形成材Ｆにより形成される根生育層Ｇの適宜位置に、潅水孔を有する潅水用パイプ等の潅水設備を設けることが望ましい。
【００４５】
マット状の根生育層形成材Ｆは、折板屋根Ｒにおける間隔おきに多数並列した山部Ｃ上に、各山部Ｃに交差して間隔おきに並列状に固定された隣接する複数の細長支持材Ｂにわたって支持されている。
【００４６】
細長支持材Ｂが間隔おきに並列するものであるため、折板屋根Ｒに載荷される荷重が可及的に低減される。
【００４７】
また、根生育層形成材Ｆによる根生育層Ｇの下面側は、間隔おきに並列した細長支持材Ｂにより支持され、根生育層Ｇの下面側のうち隣接する細長支持材Ｂの間の部分は、細長支持材Ｂに平行な空間となり、その空間の下方側は、更に、折板屋根Ｒの谷部Ｄに繋がっている。
【００４８】
そのため、根生育層形成材Ｆによる根生育層Ｇが保持しきれない潅水や降雨による水のうち余分な水は、根生育層Ｇから、細長支持材Ｂの間の空間を経て折板屋根Ｒの谷部Ｄに流下し、折板屋根Ｒの排水システムがそのまま利用されて排水される。
【００４９】
また根生育層形成材Ｆの底面全体が細長支持材Ｂの上面に接する場合とは異なり、根生育層形成材Ｆの底面全体と細長支持材Ｂの上面との間に緑化用植物の根が多量に張って根生育層形成材Ｆが浮き上がることや、それにより根生育層形成材Ｆの固定が外れることが防がれる。
【００５０】
また細長支持材Ｂとして断面溝形状をなすものを用いることにより、必要な強度を得つつ、折板屋根Ｒに載荷される荷重をより低減させることができる。
【００５１】
また、細長支持材Ｂの幅は２０ｃｍ、隣接する細長支持材Ｂ同士の間隔は２０ｃｍであり、それらの細長支持材Ｂ上に根生育層形成材Ｆが支持されているため、作業者がその上を歩いて緑化植物の刈り込み等のメンテナンス作業等を行う上で好適である。
【００５２】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００５３】
【図１】折板屋根及び細長支持材の斜視図である。
【図２】折板屋根上に細長支持材が並列した状態の斜視図である。
【図３】保持部材及び固定部材の斜視図である。
【図４】折板屋根上に細長支持材が固定された状態の斜視図である。
【図５】根生育層形成材の斜視図である。
【図６】折板屋根上の細長支持材上に根生育層形成材を敷設した状態の斜視図である。
【図７】挟持部材及び固定用ナットの斜視図である。
【図８】緑化用折板屋根の斜視図である。
【図９】固定部材の斜視図である。
【符号の説明】
【００５４】
Ａ      緑化用折板屋根
Ｂ      細長支持材
Ｂａ    底板部
Ｃ      山部
Ｃａ    山部形成部
Ｄ      谷部
Ｆ      根生育層形成材
Ｇ      根生育層
Ｌ      はぜ部
Ｌａ    はぜ連結部連結部
Ｎ      固定用ナット
Ｐ      挟持部材
Ｒ      折板屋根
Ｒａ    折板ユニット
Ｔ      保持部材
Ｘ      固定部材
Ｘ１    保持片
Ｘ２    結合片部
Ｘ３    下方傾斜片部
Ｘ４    保持爪部
Ｘ５    ボルト
Ｘ６    開閉用ナット
Ｘａ    固定突部
【図１】
2010095910.tif 000003
【図２】
2010095910.tif 000004
【図３】
2010095910.tif 000005
【図４】
2010095910.tif 000006
【図５】
2010095910.tif 000007
【図６】
2010095910.tif 000008
【図７】
2010095910.tif 000009
【図８】
2010095910.tif 000010
【図９】
2010095910.tif 000011